(57)【要約】【課題】火災が発生していない平時には、スピーカを、信号線を通じて受信した音声データの再生用スピーカとして有効利用することができる住宅用火災警報器を提供する。【解決手段】信号線接続端子１２Ａを通じて入力される音声データを受信する音声データ受信手段Ｅと、音声鳴動手段Ｄを、警報音生成手段Ｃと、音声データ受信手段Ｅとの間で切り換え接続するための切換手段Ｆと、切換手段Ｆを作動させて、音声鳴動手段Ｄを、警報音生成手段Ｃと、音声データ受信手段Ｅとの間で切り換え接続させるようにした制御手段Ａと、を備える。【選択図】図１
2008242732.tif 000002
【特許請求の範囲】
【請求項１】
火災検知手段と、前記火災検知手段が火災要因を検知したときには警報音を生成する警報音生成手段と、前記警報音生成手段が生成した前記警報音を鳴動させるスピーカを有した音声鳴動手段とを備えた住宅用火災警報器において、
信号線接続端子を通じて入力される音声データを受信する音声データ受信手段と、
前記音声鳴動手段を、前記警報音生成手段と、前記音声データ受信手段との間で切り換え接続するための切換手段と、
前記切換手段を作動させて、前記音声鳴動手段を、前記警報音生成手段と、前記音声データ受信手段との間で切り換え接続させるようにした制御手段と、を備えたことを特徴とする、住宅用火災警報器。
【請求項２】
請求項１において、
前記制御手段は、前記入力されて来た音声データを前記スピーカから出力させているときに、前記火災検知手段が火災要因を検知したときには、前記切換手段を作動させて、前記音声鳴動手段を前記警報音生成手段に接続させて、前記スピーカから前記警報音を鳴動出力させることを特徴とする、住宅用火災警報器。
【請求項３】
請求項１または請求項２に記載の住宅用火災警報器に、信号線を通じてインターホン親機を接続して構成した住宅用インターホンシステムであって、
前記インターホン親機は、外部機器を接続する外部機器接続端子と、マイクロホン入力スイッチと、マイクロホンと、前記マイクロホン入力スイッチの非操作時には、前記外部機器から入力された音声データを前記住宅用火災警報器に送出する一方、前記マイクロホン入力スイッチの操作時には、前記マイクロホンからの音声入力を受け付けて、前記信号線を通じて前記住宅用火災警報器に送出する音声データ送出手段と、前記住宅用火災警報器から前記信号線を通じて送出されて来る火災検知信号を受信する火災検知信号受信手段と、前記火災検知信号受信手段が前記火災検知信号を受信したときには火災警報を出力する火災警報出力手段とを備えており、
前記住宅用火災警報器は、前記火災検知手段が火災要因を検知したときには火災検知信号を前記インターホン親機に送出する火災検知信号送出手段を備えていることを特徴とする、住宅用インターホンシステム。
【請求項４】
請求項３において、
前記インターホン親機は、前記マイクロホンから入力された音声データを、前記住宅用火災警報器に送出して、一斉放送を行う構成にしている、住宅用インターホンシステム。
【発明の詳細な説明】
【技術分野】
【０００１】
本発明は、住宅用火災警報器、これを用いて構成した住宅用インターホンシステムに関する。
【背景技術】
【０００２】
近時、特許文献１で提案されているような住宅用火災警報器が普及してきている。この種の住宅用火災警報器は、火災検出回路により、一定以上の熱、煙といった火災要因を検出したときには、予め設定された警報メッセージをスピーカより鳴動させるようにしている。
【０００３】
また、特許文献２で提案されているような火災警報連動型の住宅用火災警報器も普及してきている。この種の住宅用火災警報器は、２線式信号線を通じて他の住宅用火災警報器を複数個接続しており、いずれかの住宅用火災警報器は、火災検知回路により火災要因を検知したときには、自身のスピーカから警報を出力させるとともに、２線式信号線の電圧レベルを報知レベルに設定させることにより、火災要因を検知した住宅用火災警報器に接続されている他の住宅用火災警報器からも警報を出力させるようにしている。
【０００４】
更に、特許文献３で提案されているようなセキュリティハンズフリーホンも普及してきている。この種のセキュリティハンズフリーホンは、ガスセンサが発報したときには、切替器を作動させて、アラームユニットとスピーカとを接続させて、スピーカからアラームユニットにより生成された警報音を出力させるようにしている。
【特許文献１】特開２００３−４４９５５号公報
【特許文献２】特開２００５−３３９０３２号公報
【特許文献３】特開平３−７０３６１号公報
【発明の開示】
【発明が解決しようとする課題】
【０００５】
しかしながら、上記した従来の住宅用火災警報器のスピーカは、火災要因が発生していない平時には使用されることがなかった。
【０００６】
また、インターホン親機を住宅用火災警報器に接続して、住宅用火災警報器が火災要因を検知すると、自身で警報メッセージを鳴動させるだけでなく、インターホン親機を連動させて、インターホン親機からも警報メッセージを鳴動させる技術も開発されているが、火災要因が発生した時に、インターホン親機と住宅用火災警報器との連動関係を持たせているに過ぎず、平時における連動関係を持たせたものはなかった。
【０００７】
本発明は、上記事情を考慮して提案されるものであり、スピーカを、火災要因が発生していない平時には、信号線を通じて受信した音声データの再生用スピーカとして有効利用することができる住宅用火災警報器を提供すること、スピーカを、インターホン親機からの放送のためのスピーカとした放送ができるようにして、平時でも、インターホン親機との連動関係を持たせるようにできる住宅用火災警報器を提供することを目的とする。
【課題を解決するための手段】
【０００８】
上記目的を達成するために、本発明の請求項１に係る住宅用火災警報器では、信号線接続端子を通じて入力される音声データを受信する音声データ受信手段と、前記音声鳴動手段を、前記警報音生成手段と、前記音声データ受信手段との間で切り換え接続するための切換手段と、前記切換手段を作動させて、前記音声鳴動手段を、前記警報音生成手段と、前記音声データ受信手段との間で切り換え接続させるようにした制御手段と、を備えたことを特徴とする。
【０００９】
請求項２に係る住宅用火災警報器では、前記制御手段は、前記入力されて来た音声データを前記スピーカから出力させているときに、火災検知手段が火災要因を検知したときには、前記切換手段を作動させて、前記音声鳴動手段を前記警報音生成手段に接続させて、前記スピーカから前記警報音を鳴動出力させることを特徴とする。
【００１０】
請求項３に係る住宅用インターホンシステムでは、請求項１または請求項２に記載の住宅用火災警報器に、信号線を通じてインターホン親機を接続して構成した住宅用インターホンシステムであって、前記インターホン親機は、外部機器を接続する外部機器接続端子と、マイクロホン入力スイッチと、マイクロホンと、前記マイクロホン入力スイッチの非操作時には、前記外部機器から入力された音声データを前記住宅用火災警報器に送出する一方、前記マイクロホン入力スイッチの操作時には、前記マイクロホンからの音声入力を受け付けて、前記信号線を通じて前記住宅用火災警報器に送出する音声データ送出手段と、前記住宅用火災警報器から前記信号線を通じて送出されて来る火災検知信号を受信する火災検知信号受信手段と、前記火災検知信号受信手段が前記火災検知信号を受信したときには火災警報を出力する火災警報出力手段とを備えており、前記住宅用火災警報器は、前記火災検知手段が火災要因を検知したときには火災検知信号を前記インターホン親機に送出する火災検知信号送出手段を備えていることを特徴とする。
【００１１】
請求項４に係る住宅用インターホンシステムでは、前記インターホン親機は、前記マイクロホンから入力された音声データを、前記住宅用火災警報器に送出して、一斉放送を行う構成にしている。
【発明の効果】
【００１２】
本発明の請求項１に係る住宅用火災警報器によれば、信号線接続端子を通じて入力される音声データを受信する音声データ受信手段と、音声鳴動手段を、警報音生成手段と、音声データ受信手段との間で切り換え接続するための切換手段と、切換手段を作動させて、音声鳴動手段を、警報音生成手段と、音声データ受信手段との間で切り換え接続させるようにした制御手段と、を備えているので、火災要因が発生したときには、音声鳴動手段と警報音生成手段とを接続させて、スピーカから警報音を鳴動させることができる一方、火災要因が発生していない平時には、音声鳴動手段と音声データ受信手段とを接続させて、信号線を通じた音声データに基づいた音声を鳴動させることができるので、例えば、部屋が狭い場合には、スピーカを別途設置することなく、住宅用火災警報器のスピーカを、音楽再生用のスピーカとして、有効に利用することができる。
【００１３】
請求項２に係る住宅用火災警報器によれば、制御手段は、入力されて来た音声データをスピーカから出力させているときに、火災検知手段が火災要因を検知したときには、切換手段を作動させて、音声鳴動手段を警報音生成手段に接続させて、スピーカから警報音を鳴動出力させるので、信号線を通じて入力されている音声データを鳴動させているときでも、火災要因を検知すれば直ちに警報音を鳴動させることができるので、住人が、住宅用火災警報器のスピーカを利用して音楽を楽しんでいても、火災要因が発生すれば警報音を鳴動させることができ、火災要因が発生したことを迅速に通知することができる。
【００１４】
請求項３に記載の住宅用インターホンシステムでは、マイクロホン入力スイッチの非操作時には、外部機器から入力された音声データを住宅用火災警報器に送出する一方、マイクロホン入力スイッチの操作時には、マイクロホンからの音声入力を受け付けて、信号線を通じて住宅用火災警報器に送出する音声データ送出手段を備えているので、住宅用火災警報器のスピーカから、外部機器から入力された音声データとマイクロホンを通じて入力された音声データのいずれかに基づいた音声を鳴動させることができ、平時におけるインターホン親機と住宅用火災警報器との連動関係を持たせることができる。
【００１５】
また、インターホン親機は、住宅用火災警報器から信号線を通じて送出されて来る火災検知信号を受信する火災検知信号受信手段と、火災検知信号受信手段が火災検知信号を受信したときには火災警報を出力する火災警報出力手段とを備えており、住宅用火災警報器は、火災検知手段が火災要因を検知したときには火災検知信号をインターホン親機に送出する火災検知信号送出手段を備えているので、火災要因が発生した時には、住宅用火災警報器からインターホン親機を制御して、火災警報を出力させることができ、火災要因発生時におけるインターホン親機と住宅用火災警報器との連動関係を持たせることができる。
【００１６】
請求項４に記載の住宅用インターホンシステムによれば、インターホン親機は、マイクロホンから入力された音声データを、住宅用火災警報器に送出して、一斉放送を行う構成にしているので、インターホン親機のマイクロホン入力スイッチを操作し、マイクロホンに音声を入力させれば、住宅用火災警報器から一斉放送を行うことができ、利便にできる。
【発明を実施するための最良の形態】
【００１７】
図１は、本発明の住宅用火災警報器を用いた住宅用インターホンシステムを概略的に示す概略構成図である。図２は、本発明の住宅用火災警報器を用いた住宅用インターホンシステムの一例を示すシステム系統図である。
【００１８】
本発明の住宅用インターホンシステムは、通話機能を備えるインターホン親機２に、ドアホン子器３を接続した基本構成となっており、ドアホン子器３の呼出釦の操作を行うと、インターホン親機２からは呼出音が鳴動され、インターホン親機２の通話釦の操作により応答すると、両者の間での通話が行えるようになっている。
【００１９】
インターホン親機２には、更に、外部機器として、コンパクトディスクに記録された音声データを読み出して再生出力するＣＤプレーヤ４が接続されており、ＣＤプレーヤ４から入力された音声データを受け付けるようになっている。また、信号線Ｌを通じて、住宅内の適所に設置された住宅用火災警報器１が接続されており、信号線Ｌを通じて、住宅用火災警報器１に対して、音声データを送出したり、住宅用火災警報器１から火災検知信号を受信するようになっている。なお、本実施の形態では、１本の信号線Ｌで接続しているが、この例には限られず、火災検知信号送出手段Ｇと火災検知信号受信手段Ｉとを接続する信号線を別途備えていてもよい。
【００２０】
インターホン親機２は、ＣＤプレーヤ４から入力された音声データを受け付けるほか、マイクロホン２１を通じて入力された音声データを受け付けて、これらのいずれかの音声データを住宅用火災警報器１に送出し、住宅用火災警報器１のスピーカ１８から鳴動させる。また、住宅用火災警報器１が、一定温度や一定濃度以上の周囲温度、煙濃度といった火災要因を検知して火災検知信号を送出したときには、これを受け付けて、警報メッセージを火災警報として鳴動出力させる。
【００２１】
住宅用火災警報器１は、火災要因を検知していない状態では、信号線Ｌを通じて入力された音声データを、信号線接続端子１２Ａで受け付けて、その音声データに基づいた音声を、自身のスピーカ１８から鳴動出力させるようになっている。また、自身が火災要因を検知したときには、信号線Ｌを通じて音声データが入力されているか否かにかかわらず、自身のスピーカ１８から警報メッセージを警報音として鳴動出力させるとともに、信号線Ｌを通じて火災検知信号を送出する。
【００２２】
なお、本実施の形態では、住宅用火災警報器１は、インターホン親機２を通じて、ＣＤプレーヤ４から出力された音声データを受信して鳴動出力させているが、この例には限られず、ＣＤプレーヤ４を住宅用火災警報器１に直接接続するようにしてもよい。
【００２３】
住宅用火災警報器１は、図１に示すように、制御手段Ａ、火災検知手段Ｂ、警報音生成手段Ｃ、音声鳴動手段Ｄ、信号線接続端子１２Ａを有した音声データ受信手段Ｅ、切換手段Ｆ、火災検知信号送出手段Ｇを備えている。
【００２４】
制御手段Ａは、この住宅用火災警報器１を制御する機能を具備しており、火災検知手段Ｂが火災要因を検知していない状態で、音声データ受信手段Ｅが、信号線接続端子１２Ａを通じて入力される音声データを受信したときには、切換手段Ｆを作動して、音声鳴動手段Ｄを音声データ受信手段Ｅに接続させて、入力されて来た音声データをスピーカ１８から出力させる。
【００２５】
火災検知手段Ｂが火災要因を検知したときには、信号線接続端子１２Ａを通じた音声データの受信の有無にかかわらず、切換手段Ｆを作動させて、音声鳴動手段Ｄを警報音生成手段Ｃに接続させて、警報音生成手段Ｃで生成された警報メッセージを警報音としてスピーカ１８から鳴動出力させる。
【００２６】
これにより、入力されて来た音声データをスピーカ１８から出力させているときに、火災検知手段Ｂが火災要因を検知したときには、切換手段Ｆを作動させて、音声鳴動手段Ｄを警報音生成手段Ｃに接続させて、スピーカ１８から警報音を直ちに鳴動出力させることができる。
【００２７】
火災検知手段Ｂは、一定温度以上の熱、一定濃度以上の煙といった火災要因を検知すると、そのことを制御手段Ａに通知する。なお、熱、煙の検出値を制御手段Ａに都度通知し、制御手段Ａで一定温度または一定濃度以上であるか否かを判定させることによって、火災要因発生を検知するようにしてもよい。
【００２８】
警報音生成手段Ｃは、火災検知手段Ｂが火災要因を検知したときに、予め記憶された音源を加工して警報メッセージを警報音として生成する。
【００２９】
音声鳴動手段Ｄはスピーカ１８を少なくとも含んでおり、入力された音声データと、警報音生成手段Ｃによって生成された警報メッセージのいずれかを鳴動出力させる。
【００３０】
音声データ受信手段Ｅは、信号線接続端子１２Ａを通じて入力される音声データを受信する。
【００３１】
切換手段Ｆは、音声鳴動手段Ｄを、警報音生成手段Ｃと、音声データ受信手段Ｅとの間で切り換え接続するために設けられる。
【００３２】
火災検知信号送出手段Ｇは、火災検知手段Ｂが火災要因を検知したときに、信号線Ｌを通じて火災検知信号を送出する。
【００３３】
一方のインターホン親機２は、外部機器接続端子２９Ａ、マイクロホン入力スイッチ２４、マイクロホン２１を有する音声データ送出手段Ｈ、火災検知信号受信手段Ｉ、火災警報出力手段Ｊを備えている。
【００３４】
音声データ送出手段Ｈは、外部機器接続端子２９Ａには、外部機器、例えば、コンパクトディスクに記録された音声データを再生出力するＣＤプレーヤが接続されており、マイクロホン入力スイッチ２４の非操作時には、外部機器から入力された音声データを住宅用火災警報器１に送出する一方、マイクロホン入力スイッチ２４の操作時には、マイクロホン２１からの音声入力を受け付けて、信号線Ｌを通じて住宅用火災警報器１に送出する。
【００３５】
火災検知信号受信手段Ｉは、住宅用火災警報器１から信号線Ｌを通じて送出されて来る火災検知信号を受信する。火災警報出力手段Ｊは、火災検知信号受信手段Ｉが火災検知信号を受信したときには、警報メッセージを火災警報として鳴動出力させる。
【００３６】
図３は、本発明の住宅用火災警報器の内部構成の一例を、インターホン親機の内部構成の一例とともに示すブロック図である。
【００３７】
住宅用火災警報器１は、ＣＰＵなどで構成され、この住宅用火災警報器１を制御する制御部１０、火災検知部１１、信号線Ｌを通じて信号、データを送受信するためのインタフェース部１２、警報メッセージの音源となるメロディ、音声メッセージなどを記憶した記憶部１３、信号線Ｌを通じて送出されてくる音声データを受信するための音声受信部１４、受信した音声データの復号などといった処理を行う音声処理部１５、記憶部１３に記憶されている音源を合成して、警報メッセージを警報音として生成する音声合成部１６、制御接点１７Ａを有し、スピーカ１８を音声合成部１６と音声処理部１５のいずれかに接続させる制御リレー１７、スピーカ１８を備えている。
【００３８】
この住宅用火災警報器１では、制御部１０は制御手段Ａを構成している。火災検知部１１は火災検知手段Ｂを構成している。
【００３９】
音声合成部１６は警報音生成手段Ｃを構成している。スピーカ１８は音声鳴動手段Ｄを構成している。インタフェース部１２と、音声受信部１４は音声データ受信手段Ｅを構成しており、インターホン親機２から音声データをアナログデータとして受信する。
【００４０】
制御リレー１７は切換手段Ｆを構成しており、制御部１０によって制御され、火災検知部１１が火災要因を検知していない状態で、インタフェース部１２に音声データが入力されたときには、制御接点１７Ａがａ側閉じに切り換わり、スピーカ１８と音声合成部１６とを接続し、火災検知部１１が火災発生を検知したときには、インタフェース部１２への音声データの入力の有無にかかわらず、制御接点１７Ａがｂ側閉じに切り換わり、スピーカ１８と音声処理部１５とを接続する。
【００４１】
制御部１０とインタフェース部１２は火災検知信号送出手段Ｇを構成しており、制御部１０は、信号線Ｌを通じて音声データを受信中に火災検知信号を送出する場合には、受信中の音声データとは逆方向に火災検知信号をデジタル信号として重畳させて送出する。
【００４２】
住宅用火災警報器１は、このような構成にすることにより、火災検知部１１が火災要因を検知していない状態で、信号線Ｌを通じて音声データを受信したときには、制御リレー１７の制御接点１７Ａがｂ側閉じとなり、音声データが、インタフェース部１２→音声受信部１４→音声処理部１５→制御リレー１７→スピーカ１８と伝わることとなり、受信した音声データがスピーカ１８から鳴動される。
【００４３】
一方、火災検知部１１で火災発生を検知したときには、制御リレー１７の制御接点１７Ａがａ側閉じとなり、記憶部１３から音源が読み込まれて、音声合成部１６で警報メッセージが生成され、生成された警報メッセージが制御リレー１７を通じてスピーカ１８に入力される。
【００４４】
一方のインターホン親機２は、ＣＰＵなどで構成され、このインターホン親機２を制御する制御部２０、マイクロホン２１、信号線接続端子２２Ａを有し、信号線Ｌを通じて信号、データを送受信するためのインタフェース部２２、警報メッセージの音源となるメロディ、音声メッセージなどを記憶した記憶部２３、マイクロホン２１に音声を入力し、入力した音声データを住宅用火災警報器１に送出するために操作するマイクロホン入力スイッチ２４、マイクロホン２１や外部入力部２９を通じて入力された音声データの符号化などといった処理を行う音声処理部２５、記憶部２３に記憶されている音源を合成して、警報メッセージを警報音として生成する音声合成部２６、制御接点２７Ａを有し、音声処理部２５を、外部入力部２９とマイクロホン２１のいずれかに接続させる制御リレー２７、スピーカ２８を備えている。
【００４５】
このインターホン親機２は、音声データ送出手段Ｈは、マイクロホン入力スイッチ２４、マイクロホン２１、制御部２０、制御リレー２７、音声処理部２５で構成されている。
【００４６】
制御部２０は、マイクロホン入力スイッチ２４が操作されていない状態では、制御リレー２７の制御接点２７Ａをａ側閉じに切り換えて、外部入力部２９側に閉じておき、外部入力部２９への音声データの入力を受け付ける。外部入力部２９を通じて入力された音声データは、制御リレー２７、音声処理部２５、インタフェース部２２を通じて、住宅用火災警報器１に送出される。
【００４７】
一方、マイクロホン入力スイッチ２４が操作されたときには、制御リレー２７の制御接点２７Ａをｂ側閉じに切り換えて、マイクロホン２１側に閉じておき、マイクロホン２１への音声入力を受け付ける。マイクロホン２１に入力された音声は、音声処理部２５により音声データ（アナログデータ）に変換され、住宅用火災警報器１に送出される。これにより、マイクロホン入力スイッチ２４を操作して、マイクロホン２１に音声を入力させれば、入力させた音声を住宅用火災警報器１より、一斉放送として鳴動出力させることができる。
【００４８】
火災検知信号受信手段Ｉはインタフェース部２２で構成されている。火災警報出力手段Ｊは、制御部２０、音声合成部２５、スピーカ２８で構成されており、制御部２０は、インタフェース部２２が火災検知信号を受信したことを検知して、音声合成部２５により警報メッセージを生成させ、スピーカ２８より鳴動出力させる。
【００４９】
図４は、本発明の住宅用火災警報器の基本動作の一例を示すフローチャートである（１００〜１０７）。
【００５０】
この住宅用火災警報器１では、火災要因を検知していない状態で、信号線接続端子１２Ａを通じて音声データを受信したときには、スピーカ１８の電源を入れ、その後、制御リレー１７を制御して、スピーカ１８を音声処理部１５に接続させて、スピーカ１８を音声受信部１４側に接続させ、受信した音声データに基づいた音声を鳴動出力させる（１００〜１０３）。
【００５１】
一方、火災要因を検知したときには、スピーカ１８の電源を入れ、その後、直ちに、制御リレー１７を制御して、スピーカ１８を音声合成部１６側に接続させ、音声合成部１６で警報メッセージを生成させ、生成させた警報メッセージをスピーカ１８より鳴動させる（１００，１０４〜１０６）。その後、火災検知信号をインターホン親機２に送出する（１０７）。
【００５２】
なお、火災要因を検知したときに警報メッセージを生成して鳴動出力させているが、この例には限られず、所定のメロディ、ブザー音、チャイム音などであってもよい。
【００５３】
図５は、インターホン親機の基本動作の一例を示すフローチャートである（２００〜２０６）。
【００５４】
このインターホン親機２では、住宅用火災警報器１から火災検知信号を受信していない状態では以下の処理をなす。すなわち、マイクロホン入力スイッチ２４が操作されたときには、マイクロホン２１の電源を入れ、その後、マイクロホン２１への音声入力を受け付けて、入力された音声を音声データに変換し、音声データを住宅用火災警報器１に送出する（２００〜２０４）。
【００５５】
また、マイクロホン入力スイッチ２４が操作されていないときには、外部入力部２９を通じた音声データの入力を受け付けて、入力された音声データを住宅用火災警報器１に送出する（２００，２０１，２０４，２０５）。
【００５６】
一方、住宅用火災警報器１から火災検知信号を受信した場合には、直ちに、警報メッセージを生成して、スピーカ２８より鳴動出力させる（２０６）。
【図面の簡単な説明】
【００５７】
【図１】本発明の住宅用火災警報器を用いた住宅用インターホンシステムを概略的に示す概略構成図
【図２】本発明の住宅用火災警報器を用いた住宅用インターホンシステムの一例を示すシステム系統図
【図３】本発明の住宅用火災警報器の内部構成の一例を、インターホン親機の内部構成の一例とともに示すブロック図
【図４】本発明の住宅用火災警報器の基本動作の一例を示すフローチャート
【図５】インターホン親機の基本動作の一例を示すフローチャート
【符号の説明】
【００５８】
１  住宅用火災警報器
Ａ  制御手段
Ｂ  火災検知手段
Ｃ  警報音生成手段
Ｄ  音声鳴動手段
１８  スピーカ
Ｅ  音声データ受信手段
１２Ａ  信号線接続端子
Ｆ  切換手段
Ｇ  火災検知信号送出手段
２  インターホン親機
Ｈ  音声データ送出手段
２１  マイクロホン
２４  マイクロホン入力スイッチ
２９Ａ  外部機器接続端子
Ｉ  火災検知信号受信手段
Ｊ  火災警報出力手段
４  ＣＤプレーヤ（外部機器）
Ｌ  信号線
【図１】
2008242732.tif 000003
【図２】
2008242732.tif 000004
【図３】
2008242732.tif 000005
【図４】
2008242732.tif 000006
【図５】
2008242732.tif 000007